(57)【特許請求の範囲】
【請求項１】
被接触部材に対して接触する接触部材と、
前記被接触部材に対して接触する他の接触部材と、
前記接触部材を支持すると共に往復動可能に設けられ、該往復動により前記接触部材を
前記被接触部材に対して接触又は退避させ、前記接触部材が前記被接触部材に対し接触又
は退避する方向に付勢された支持部材と、
外周が前記支持部材に接触され、駆動力により回転することで前記接触部材を往復動さ
せるカムと、
前記カムへの駆動力の伝達経路に設けられ、一方向の駆動力により結合してこの駆動力
を前記カムへ伝達し、他方向の駆動力により結合解除される駆動力伝達部材と、を有し、
駆動源から伝達される駆動力うち、一方向の駆動力で前記接触部材が前記被接触部材に
対して接触又は退避され、他方向の駆動力で前記他の接触部材が前記被接触部材に対して
接触又は退避され、
前記接触部材が前記被接触部材に対し接触する状態及び退避する状態のうち、前記カム
が回転軸から外周面までの距離が小さい側で前記支持部材に接触する状態で停止させた後
、前記駆動力伝達部材に他方向の駆動力を付与する、
駆動機構。
【請求項２】
前記他の接触部材における前記被接触部材に対する付勢力は、前記接触部材における前
記被接触部材に対する付勢力よりも大きくなっており、
前記他の接触部材は、前記一方向及び前記他方向の駆動力で往復動する、
請求項１に記載の駆動機構。
【請求項３】
回転して現像剤像を記録媒体に定着する定着部材と、
前記定着部材に対して接触する接触部材と、
前記定着部材に対して接触する他の接触部材と、
前記接触部材を支持すると共に往復動可能に設けられ、該往復動により前記接触部材を
前記定着部材に対して接触又は退避させ、前記接触部材が前記定着部材に対し接触又は退
避する方向に付勢された支持部材と、
外周が前記支持部材に接触され、駆動力により回転することで前記接触部材を往復動さ
せるカムと、
前記カムへの駆動力の伝達経路に設けられ、一方向の駆動力により結合してこの駆動力
を前記カムへ伝達し、他方向の駆動力により結合解除される駆動力伝達部材と、を有し、
前記接触部材は、駆動源から伝達される一方向の駆動力で前記定着部材に対して接触又
は退避され、
前記他の接触部材は、前記駆動源から伝達される他方向の駆動力で前記定着部材に対し
て接触又は退避され、
前記接触部材が前記定着部材に対し接触する状態及び退避する状態のうち、前記カムが
回転軸から外周面までの距離が小さい側で前記支持部材に接触する状態で停止させた後、
前記駆動力伝達部材に他方向の駆動力を付与する定着装置。
【請求項４】
前記他の接触部材における前記定着部材に対する付勢力は、前記接触部材における前記
定着部材に対する付勢力よりも大きくなっており、前記他の接触部材は、前記一方向及び
前記他方向の駆動力で往復動する請求項３に記載の定着装置。
【請求項５】
前記接触部材が、前記定着部材の外周面を荒す荒し部材であり、
現像剤像を形成する現像剤像形成手段と、
前記現像剤像形成手段で形成された現像剤像を記録媒体に転写する転写手段と、
前記転写手段で転写された現像剤像を記録媒体上に定着する請求項３又は４に記載の定
着装置と、
を有する画像形成装置。 
【発明の詳細な説明】
【技術分野】
【０００１】
本発明は、駆動機構、定着装置、及び画像形成装置に関する。
【背景技術】
【０００２】
特許文献１の定着装置は、定着ロールの表面性を回復させるリフレッシュロールを有しており、リフレッシュロールが、定着ロールに対して接触した状態と、離れた状態とに切り換えられるようになっている。
【先行技術文献】
【特許文献】
【０００３】
【特許文献１】特開２００８−０２０７９０号
【発明の概要】
【発明が解決しようとする課題】
【０００４】
本発明は、被接触部材に対して接触又は退避される接触部材の接触位置又は退避位置を安定させることができる駆動機構、定着装置、及び画像形成装置を得ることを目的とする。
【課題を解決するための手段】
【０００５】
本発明の請求項１に係る駆動機構は、被接触部材に対して接触する接触部材と、前記被
接触部材に対して接触する他の接触部材と、前記接触部材を支持すると共に往復動可能に
設けられ、該往復動により前記接触部材を前記被接触部材に対して接触又は退避させ、前
記接触部材が前記被接触部材に対し接触又は退避する方向に付勢された支持部材と、外周
が前記支持部材に接触され、駆動力により回転することで前記接触部材を往復動させるカ
ムと、前記カムへの駆動力の伝達経路に設けられ、一方向の駆動力により結合してこの駆
動力を前記カムへ伝達し、他方向の駆動力により結合解除される駆動力伝達部材と、を有
し、駆動源から伝達される駆動力うち、一方向の駆動力で前記接触部材が前記被接触部材
に対して接触又は退避され、他方向の駆動力で前記他の接触部材が前記被接触部材に対し
て接触又は退避され、前記接触部材が前記被接触部材に対し接触する状態及び退避する状
態のうち、前記カムが回転軸から外周面までの距離が小さい側で前記支持部材に接触する
状態で停止させた後、前記駆動力伝達部材に他方向の駆動力を付与する。
【０００６】
本発明の請求項２に係る駆動機構は、請求項１に記載の駆動機構であって、前記他の接触部材における前記被接触部材に対する付勢力は、前記接触部材における前記被接触部材に対する付勢力よりも大きくなっており、前記他の接触部材は、前記一方向及び前記他方向の駆動力で往復動する。
【０００７】
本発明の請求項３に係る定着装置は、回転して現像剤像を記録媒体に定着する定着部材と、前記定着部材に対して接触する接触部材と、前記定着部材に対して接触する他の接触部材と、前記接触部材を支持すると共に往復動可能に設けられ、該往復動により前記接触部材を前記定着部材に対して接触又は退避させ、前記接触部材が前記定着部材に対し接触又は退避する方向に付勢された支持部材と、外周が前記支持部材に接触され、駆動力により回転することで前記接触部材を往復動させるカムと、前記カムへの駆動力の伝達経路に設けられ、一方向の駆動力により結合してこの駆動力を前記カムへ伝達し、他方向の駆動力により結合解除される駆動力伝達部材と、を有し、前記接触部材は、駆動源から伝達される一方向の駆動力で前記定着部材に対して接触又は退避され、前記他の接触部材は、前記駆動源から伝達される他方向の駆動力で前記定着部材に対して接触又は退避され、前記接触部材が前記定着部材に対し接触する状態及び退避する状態のうち、前記カムが回転軸から外周面までの距離が小さい側で前記支持部材に接触する状態で停止させた後、前記駆動力伝達部材に他方向の駆動力を付与する。
【０００８】
本発明の請求項４に係る定着装置は、請求項３の定着装置であって、前記他の接触部材における前記定着部材に対する付勢力は、前記接触部材における前記定着部材に対する付勢力よりも大きくなっており、前記他の接触部材は、前記一方向及び前記他方向の駆動力で往復動する。
【０００９】
本発明の請求項５に係る画像形成装置は、前記接触部材が、前記定着部材の外周面を荒す荒し部材であり、現像剤像を形成する現像剤像形成手段と、前記現像剤像形成手段で形成された現像剤像を記録媒体に転写する転写手段と、前記転写手段で転写された現像剤像を記録媒体上に定着する請求項３又は４に記載の定着装置とを有する。
【発明の効果】
【００１０】
請求項１の発明は、カムが回転軸から外周面までの距離が小さい側で支持部材に接触する状態で停止させた後、駆動力伝達部材に付与される駆動力の向きが変わらない構成に比べて、被接触部材に対して接触又は退避される接触部材の接触位置若しくは退避位置を安定させることができる。また、請求項１の発明は、接触部材と他の接触部材で駆動源を共通にする構成において、被接触部材に対する接触部材又は他の接触部材の接触位置若しくは退避位置を安定させることができる。
【００１１】
請求項２の発明は、被接触部材に対する付勢力について他の接触部材が接触部材よりも大きく、且つ駆動力伝達部材が他の接触部材の駆動力伝達経路に設けられている構成に比べて、他の接触部材が被接触部材に接触するときに発生する打音の大きさを低減することができる。
【００１２】
請求項３の発明は、カムが回転軸から外周面までの距離が小さい側で支持部材に接触する状態で停止させた後、駆動力伝達部材に付与される駆動力の向きが変わらない構成に比べて、定着部材に対して接触又は退避される接触部材の接触位置若しくは退避位置を安定させることができる。また、請求項３の発明は、接触部材と他の接触部材で駆動源を共通にする構成において、定着部材に対する接触部材又は他の接触部材の接触位置又は退避位置を安定させることができる。
【００１３】
請求項４の発明は、定着部材に対する加圧力について他の接触部材が接触部材よりも大きく、且つ駆動力伝達部材が他の接触部材の駆動力伝達経路に設けられている構成に比べて、他の接触部材が定着部材に接触するときに発生する打音の大きさを低減することができる。
【００１４】
請求項５の発明は、カムが回転軸から外周面までの距離が小さい側で支持部材に接触する状態で停止させた後、駆動力伝達部材に付与される駆動力の向きが変わらない構成に比べて、画像に記録媒体の通過痕が残るのを抑制することができる。
【図面の簡単な説明】
【００１５】
【図１】本発明の第１実施形態に係る画像形成装置の全体構成図である。
【図２】本発明の第１実施形態に係る画像形成ユニットの構成図である。
【図３】本発明の第１実施形態に係る定着装置の構成図である。
【図４】本発明の第１実施形態に係る外部加熱ロールのリトラクト機構を示す説明図である。
【図５】本発明の第１実施形態に係るリフレッシュロールの駆動機構を示す説明図である。
【図６】本発明の第１実施形態に係るモータからリフレッシュロール側のカム及び外部加熱ロール側のカムへの駆動力伝達経路において、リフレッシュロール側のカムを＋Ｒ方向に回転させるときの各ギヤの回転状態を示す説明図である。
【図７】（Ａ）、（Ｂ）、（Ｃ）本発明の第１実施形態に係るリフレッシュロールを定着ロールに対して接触又は退避させるときのカム及びフォロワの移動状態を示す模式図である。
【図８】本発明の第２実施形態に係る加圧ロールの駆動機構を示す説明図である。
【図９】（Ａ）本発明の第２実施形態に係るモータから加圧ロール側のカム及びデカーラ側のギヤへの駆動力伝達経路において、デカーラ側のギヤを＋Ｒ方向に回転させるときの各ギヤの回転状態を示す説明図である。（Ｂ）、（Ｃ）本発明の第２実施形態に係る加圧ロールを定着ロールに対して接触又は退避させるときのカム及びフォロワの移動状態を示す模式図である。
【発明を実施するための形態】
【００１６】
（第１実施形態）
本発明の第１実施形態に係る駆動機構、定着装置、及び画像形成装置の一例について説明する。
【００１７】
図１には、実施形態の一例としての画像形成装置１０が示されている。画像形成装置１０は、上下方向（矢印Ｖ方向）の下側から上側へ向けて、記録用紙Ｐが収容される用紙収容部１２と、用紙収容部１２の上に設けられ用紙収容部１２から供給される記録媒体の一例としての記録用紙Ｐに画像形成を行う画像形成部１４と、画像形成部１４の上に設けられ読取原稿Ｇを読み取る原稿読取部１６と、画像形成部１４内に設けられ画像形成装置１０の各部の動作を制御する制御部２０と、を含んで構成されている。なお、以後の説明では、画像形成装置１０の装置本体１０Ａの上下方向を矢印Ｖ方向、水平方向を矢印Ｈ方向と記載する。
【００１８】
用紙収容部１２は、サイズの異なる記録用紙Ｐが収容される第１収容部２２、第２収容部２４、及び第３収容部２６が設けられている。第１収容部２２、第２収容部２４、及び第３収容部２６には、収容された記録用紙Ｐを画像形成装置１０内に設けられた搬送路２８に送り出す送り出しロール３２が設けられており、搬送路２８における送り出しロール３２よりも下流側には、記録用紙Ｐを一枚ずつ搬送するそれぞれ一対の搬送ロール３４及び搬送ロール３６が設けられている。また、搬送路２８における記録用紙Ｐの搬送方向で搬送ロール３６よりも下流側には、記録用紙Ｐを一旦停止させるとともに、決められたタイミングで後述する二次転写位置ＱＢ（図２参照）へ送り出す位置合せロール３８が設けられている。
【００１９】
搬送路２８の上流側部分（搬送ロール３６が設けられている部位）は、画像形成装置１０の正面視において、矢印Ｖ方向に向けて用紙収容部１２の左側から画像形成部１４の左側下部まで直線状に設けられている。また、搬送路２８の下流側部分は、画像形成部１４の左側下部から画像形成部１４の右側面に設けられた排紙部１５まで設けられている。さらに、搬送路２８には、記録用紙Ｐの両面に画像形成を行うために記録用紙Ｐが搬送及び反転される両面搬送路２９が接続されている。
【００２０】
両面搬送路２９は、画像形成装置１０の正面視において、搬送路２８と両面搬送路２９との切り替えを行う第１切替部材３１と、画像形成部１４の右側下部から用紙収容部１２の右側まで矢印Ｖ方向（図示の下向きが−Ｖ、上向きが＋Ｖ）に直線状に設けられた反転部３３と、反転部３３に搬送された記録用紙Ｐの後端が進入するとともに矢印Ｈ方向における図示の左側に搬送される搬送部３７と、反転部３３と搬送部３７との切り替えを行う第２切替部材３５と、を有している。そして、反転部３３には、一対の搬送ロール４２が間隔をあけて複数箇所に設けられており、搬送部３７には、一対の搬送ロール４４が間隔をあけて複数箇所に設けられている。
【００２１】
第１切替部材３１は、三角柱状の部材であり、駆動手段（図示省略）によって先端部が搬送路２８又は両面搬送路２９のいずれか一方に移動されることで、記録用紙Ｐの搬送方向を切り替えるようになっている。同様に、第２切替部材３５は、正面視で三角柱状の部材であり、図示しない駆動手段によって先端部が反転部３３又は搬送部３７のいずれか一方に移動されることで、記録用紙Ｐの搬送方向を切り替えるようになっている。なお、搬送部３７の下流側端部は、搬送路２８の上流側部分にある搬送ロール３６の手前側に案内部材（図示省略）により接続されている。また、画像形成部１４の左側面には折り畳み式の手差給紙部４６が設けられており、手差給紙部４６から送り込まれる記録用紙Ｐの搬送経路が、搬送路２８における位置合せロール３８よりも手前側（上流側）に接続されている。
【００２２】
原稿読取部１６は、読取原稿Ｇを１枚ずつ自動で搬送する原稿搬送装置５２と、原稿搬送装置５２の下側に配置され１枚の読取原稿Ｇが載せられるプラテンガラス５４と、原稿搬送装置５２によって搬送された読取原稿Ｇ又はプラテンガラス５４に載せられた読取原稿Ｇを読み取る原稿読取装置５６とが設けられている。
【００２３】
原稿搬送装置５２は、一対の搬送ロール５３が複数配置された自動搬送路５５を有しており、自動搬送路５５の一部は記録用紙Ｐがプラテンガラス５４上を通るように配置されている。また、原稿読取装置５６は、プラテンガラス５４の左端部に静止した状態で原稿搬送装置５２によって搬送された読取原稿Ｇを読み取り、又は矢印Ｈ方向に移動しながらプラテンガラス５４に載せられた読取原稿Ｇを読み取るようになっている。
【００２４】
一方、画像形成部１４は、記録用紙Ｐ上にトナー画像（現像剤像）を形成する現像剤像形成手段の一例としての画像形成ユニット５０を有している。画像形成ユニット５０は、後述する感光体６２、帯電部材６４、露光装置６６、現像装置７０、中間転写ベルト６８、及びクリーニング装置７３を含んで構成されている。
【００２５】
画像形成部１４における装置本体１０Ａの中央には、潜像保持体である円筒状の感光体６２が設けられている。感光体６２は、駆動手段（図示省略）によって矢印＋Ｒ方向（図示の時計回り方向）に回転すると共に光照射によって形成される静電潜像を保持するようになっている。また、感光体６２の上側で且つ感光体６２の外周面と対向する位置には、感光体６２の表面を帯電するコロトロン方式の帯電部材６４が設けられている。
【００２６】
感光体６２の回転方向における帯電部材６４よりも下流側で且つ感光体６２の外周面と対向する位置には、露光装置６６が設けられている。露光装置６６は、図示しない半導体レーザ、ｆ−θレンズ、ポリゴンミラー、結像レンズ、及び複数のミラーを有しており、画像信号に基づき半導体レーザから出射されたレーザ光をポリゴンミラーで偏向走査し、帯電部材６４により帯電された感光体６２の外周面に照射（露光）して、静電潜像を形成するようになっている。なお、露光装置６６は、レーザ光をポリゴンミラーで偏向走査する方式に限らず、ＬＥＤ（Ｌｉｇｈｔ  Ｅｍｉｔｔｉｎｇ  Ｄｉｏｄｅ）方式であってもよい。
【００２７】
感光体６２の回転方向で露光装置６６の露光光が照射される部位よりも下流側には、感光体６２の外周面に形成された静電潜像を決められた色のトナーで現像して可視化させる回転切り替え式の現像装置７０が設けられている。
【００２８】
図２に示すように、現像装置７０は、イエロー（Ｙ）、マゼンタ（Ｍ）、シアン（Ｃ）、黒（Ｋ）、第１特別色（Ｅ）、第２特別色（Ｆ）の各トナー色にそれぞれ対応する現像器７２Ｙ、７２Ｍ、７２Ｃ、７２Ｋ、７２Ｅ、７２Ｆが、周方向に（図示の反時計回り方向にこの順番で）並んで配置されており、モータ（図示省略）によって中心角で６０°ずつ回転することで、現像処理を行う現像器７２Ｙ、７２Ｍ、７２Ｃ、７２Ｋ、７２Ｅ、７２Ｆが切り替えられ、感光体６２の外周面と対向するようになっている。
【００２９】
なお、現像器７２Ｙ、７２Ｍ、７２Ｃ、７２Ｋ、７２Ｅ、７２Ｆは同様の構成となっているため、ここでは現像器７２Ｙについて説明し、他の現像器７２Ｍ、７２Ｃ、７２Ｋ、７２Ｅ、７２Ｆについては説明を省略する。また、Ｙ、Ｍ、Ｃ、Ｋの４色の画像形成を行う場合は、現像器７２Ｅ、７２Ｆを使用しないため、現像器７２Ｋから現像器７２Ｙへの回転角度が１８０°となる。
【００３０】
現像器７２Ｙは、本体となるケース部材７６を有しており、ケース部材７６内には、トナーカートリッジ７８Ｙ（図１参照）からトナー供給路（図示省略）を経由して供給されるトナー及びキャリアから成る現像剤（図示省略）が充填されている。また、ケース部材７６には、感光体６２の外周面と対向して矩形状の開口部７６Ａが形成されており、開口部７６Ａには、外周面が感光体６２の外周面と対向する現像ロール７４が設けられている。さらに、ケース部材７６内で開口部７６Ａに近い部位には、現像剤の層厚を規制するための板状の規制部材７９が、開口部７６Ａの長手方向に沿って設けられている。
【００３１】
現像ロール７４は、回転可能に設けられた円筒状の現像スリーブ７４Ａと、現像スリーブ７４Ａの内側に固定された複数の磁極から成る磁性部材７４Ｂとで構成されており、現像スリーブ７４Ａが回転することで現像剤（キャリア）の磁気ブラシが形成されると共に、規制部材７９で層厚が規制されることで、現像スリーブ７４Ａの外周面に現像剤層を形成するようになっている。そして、現像スリーブ７４Ａの外周面の現像剤層は、現像スリーブ７４Ａの回転により感光体６２に対向する位置に搬送され、感光体６２の外周面に形成された潜像（静電潜像）に応じたトナーを付着させて現像を行う。
【００３２】
また、ケース部材７６内には、螺旋状に形成された搬送ロール７７が２本回転可能に並列配置されており、この２本の搬送ロール７７が回転することで、ケース部材７６内に充填された現像剤が、現像ロール７４の軸方向（現像器７２Ｙの長手方向）に循環搬送されるようになっている。なお、各現像器７２Ｙ、７２Ｍ、７２Ｃ、７２Ｋ、７２Ｅ、７２Ｆに設けられた６本の現像ロール７４は、隣の現像ロール７４との間隔が中心角６０°となるように周方向に配置されており、現像器７２の切り替えにより、次の現像ロール７４が感光体６２の外周面と対向するようになっている。
【００３３】
図２に示すように、感光体６２の回転方向で現像装置７０よりも下流側であり且つ感光体６２の下側には、感光体６２の外周面に形成されたトナー画像が転写される中間転写ベルト６８が設けられている。中間転写ベルト６８は、無端状であり、制御部２０により回転駆動される駆動ロール６１、中間転写ベルト６８に張力を付与するための張力付与ロール６５、中間転写ベルト６８の裏面に接触して従動回転する複数の搬送ロール６３、及び後述する二次転写位置ＱＢにおいて中間転写ベルト６８の裏面に接触して従動回転する補助ロール６９に巻き掛けられている。そして、中間転写ベルト６８は、駆動ロール６１が回転することにより、矢印−Ｒ方向（図示の反時計回り方向）に周回移動するようになっている。
【００３４】
また、中間転写ベルト６８を挟んで感光体６２の反対側には、感光体６２の外周面に形成されたトナー画像を中間転写ベルト６８に一次転写させる一次転写ロール６７が設けられている。一次転写ロール６７は、感光体６２と中間転写ベルト６８とが接触する位置（これを一次転写位置ＱＡとする）から中間転写ベルト６８の移動方向下流側に離れた位置で、中間転写ベルト６８の裏面に接触している。そして、一次転写ロール６７は、電源（図示省略）から通電されることにより、接地されている感光体６２との電位差で感光体６２のトナー画像を中間転写ベルト６８に一次転写するようになっている。
【００３５】
さらに、中間転写ベルト６８を挟んで補助ロール６９の反対側には、中間転写ベルト６８上に一次転写されたトナー画像を記録用紙Ｐに二次転写させる転写手段の一例としての二次転写ロール７１が設けられており、二次転写ロール７１と補助ロール６９との間が記録用紙Ｐへトナー画像を転写する二次転写位置ＱＢとされている。二次転写ロール７１は、接地されると共に中間転写ベルト６８の表面に接触しており、電源（図示省略）から通電された補助ロール６９と二次転写ロール７１との電位差で、中間転写ベルト６８のトナー画像を記録用紙Ｐに二次転写するようになっている。なお、二次転写位置ＱＢは、前述の搬送路２８（図１参照）の途中に設定されている。
【００３６】
また、中間転写ベルト６８を挟んで駆動ロール６１の反対側には、中間転写ベルト６８の二次転写後の残留トナーを回収するクリーニングブレード５９が設けられている。クリーニングブレード５９は、開口部が形成された筐体（図示省略）に取り付けられており、クリーニングブレード５９の先端部で掻き取られたトナーが、筐体内に回収されるようになっている。
【００３７】
中間転写ベルト６８の周囲で搬送ロール６３と対向する位置には、中間転写ベルト６８の表面に付されたマーク（図示省略）を検知することで中間転写ベルト６８上の予め定めた基準位置を検出し、画像形成処理の開始タイミングの基準となる位置検出信号を出力する位置検出センサ８３が設けられている。位置検出センサ８３は、中間転写ベルト６８に向けて光を照射すると共にマークの表面で反射された光を受光することで、中間転写ベルト６８の移動位置を検出するようになっている。
【００３８】
一方、感光体６２の回転方向で一次転写ロール６７よりも下流側には、中間転写ベルト６８に一次転写されずに感光体６２の表面に残留した残留トナー等を清掃するクリーニング装置７３が設けられている。クリーニング装置７３は、感光体６２表面に接触するクリーニングブレード及びブラシロールにより残留トナー等を回収する構成となっている。
【００３９】
また、感光体６２の回転方向でクリーニング装置７３の上流側（一次転写ロール６７よりも下流側）には、感光体６２の外周面に一次転写後に残留したトナーの除電を行うコロトロン８１が設けられている。さらに、感光体６２の回転方向でクリーニング装置７３の下流側（帯電部材６４よりも上流側）には、クリーニング後の感光体６２の外周面に光を照射して除電を行う除電装置７５が設けられている。
【００４０】
図１に示すように、記録用紙Ｐの搬送方向における用紙センサ９１よりも下流側には、二次転写ロール７１によってトナー画像が転写された記録用紙Ｐにトナー画像を定着させる定着装置１００が設けられている。なお、定着装置１００の詳細は後述する。また、記録用紙Ｐの搬送方向で定着装置１００よりも下流側には、定着装置１００によって定着が行われた記録用紙Ｐの変形（しわや撓みなど）を矯正して平らにするデカーラ３９が設けられている。
【００４１】
一方、原稿読取装置５６の下側で現像装置７０よりも上側には、イエロー（Ｙ）、マゼンタ（Ｍ）、シアン（Ｃ）、黒（Ｋ）、第１特別色（Ｅ）、第２特別色（Ｆ）の各トナーを収容するトナーカートリッジ７８Ｙ、７８Ｍ、７８Ｃ、７８Ｋ、７８Ｅ、７８Ｆが矢印Ｈ方向に並んで交換可能に設けられている。第１特別色Ｅ及び第２特別色Ｆは、イエロー、マゼンタ、シアン、ブラック以外の特別色（透明を含む）から選択され、または、選択されないようになっている。
【００４２】
次に、定着装置１００について説明する。
【００４３】
図３に示すように、定着装置１００は、記録用紙Ｐが進入する開口部１０６Ａと、記録用紙Ｐが排出される開口部１０６Ｂとが形成された筐体１０６を有している。筐体１０６内には、主要部として、トナー画像（現像剤像）を加熱して記録用紙Ｐに定着させる被接触部材及び定着部材の一例としての定着ロール１０２と、定着ロール１０２とで記録用紙Ｐを挟んで加圧する加圧ロール１０４と、定着ロール１０２の外周面に接触して加熱する他の接触部材の一例としての外部加熱ロール１０８と、外部加熱ロール１０８を定着ロール１０２の外周面に移動するリトラクト機構部１４０（図４参照）と、定着ロール１０２の回転方向（図示の矢印−Ｒ方向）で外部加熱ロール１０８よりも下流側に配置された接触部材及び荒し部材の一例としてのリフレッシュロール１３２と、が設けられている。
【００４４】
定着ロール１０２は、記録用紙Ｐの搬送経路上でトナー画像面側（上側）に配置されている。一例として、定着ロール１０２は、円筒状のアルミニウムからなる芯金１０２Ｂの外周にシリコンゴムからなる弾性部材１０２Ａが被覆された構成となっており、弾性部材１０２Ａの外周面には、フッ素系樹脂からなる離型層（図示省略）が形成されている。そして、芯金１０２Ｂの内側には、芯金１０２Ｂの内周面とは非接触状態で熱源となるハロゲンヒータ１１４が設けられている。ハロゲンヒータ１１４は、電源（図示省略）からの通電により発熱し、芯金１０２Ｂを加熱することで、定着ロール１０２全体を加熱するようになっている。
【００４５】
定着ロール１０２の外周面と対向する位置で開口部１０６Ａに近い側には、定着ロール１０２の温度を検知する第１温度センサ１２０が設けられている。第１温度センサ１２０は、非接触式の温度センサであり、定着ロール１０２からの熱放射を赤外フィルムで受け、このフィルムの温度上昇をサーミスタで検知することによって、定着ロール１０２の温度を検知するようになっている。
【００４６】
リフレッシュロール１３２は、一例として、アルミニウム製のロールの表面に予め決められた表面粗さとなるようにコート剤を塗布した構成となっており、定着ロール１０２の回転方向（矢印−Ｒ方向）で第１温度センサ１２０よりも上流側に設けられている。また、リフレッシュロール１３２は、詳細を後述する駆動機構１６０（図６参照）によって定着ロール１０２の外周面に対して接触又は退避可能となっており、未使用時は定着ロール１０２の外周面から退避され、定着枚数が予め設定された枚数になったときに定着ロール１０２の外周面に接触して、定着ロール外周面を荒す（均す）ようになっている。
【００４７】
外部加熱ロール１０８は、一例として、円筒状のアルミニウムで構成されており、長手方向両端部には円筒状の軸部１０８Ａが設けられている。また、外部加熱ロール１０８の内側には、内周面とは非接触状態で熱源となるハロゲンヒータ１１８が設けられている。ハロゲンヒータ１１８は、電源（図示省略）からの通電により発熱し、一例として、外部加熱ロール１０８が定着ロール１０２の温度に対して５０℃から７０℃高い温度となるように加熱を行う。
【００４８】
また、外部加熱ロール１０８は、矢印−Ｒ方向でリフレッシュロール１３２よりも上流側において、定着ロール１０２の外周面と対向して設けられており、後述するリトラクト機構部１４０（図４参照）の作動によって移動し、定着ロール１０２の外周面への接触又は外周面からの退避が可能となっている。さらに、外部加熱ロール１０８の外周面には、外部加熱ロール１０８の温度を検知する接触式の第２温度センサ１２６と、外部加熱ロール１０８の外周面を清掃するウェブ１１２とが接触して設けられている。
【００４９】
ウェブ１１２は、繊維体で構成されており、外部加熱ロール１０８との接触による摩擦力を低下させるための潤滑剤となる油が予め含浸されると共に、矢印＋Ｒ方向に回転可能に設けられた軸部１３４Ａの周囲に巻き取られている。そして、軸部１３４Ａの下側には中間ロール１３４Ｂが回転可能に配置されており、中間ロール１３４Ｂの左側には、矢印＋Ｒ方向に回転可能とされた軸部１３４Ｃが、中間ロール１３４Ｂと間隔をあけて配置されている。
【００５０】
ここで、ウェブ１１２は、軸部１３４Ａから巻き出されつつ中間ロール１３４Ｂの外周面に巻き掛けられると共に、先端が軸部１３４Ｃに固定されることで、軸部１３４Ｃに巻き取られている。そして、ウェブ１１２は、軸部１３４Ｃがモータ（図示省略）で矢印＋Ｒ方向に回転駆動されることで、矢印Ｂ方向に移動して外部加熱ロール１０８の外周面に接触すると共に軸部１３４Ｃに巻き取られるようになっている。なお、ウェブ１１２は、定着装置１００の定着動作時に必要に応じて巻き取られるようになっている。
【００５１】
一方、加圧ロール１０４は、記録用紙Ｐの搬送経路上で定着ロール１０２の下側に配置されている。一例として、加圧ロール１０４は、円筒状のアルミニウムからなる芯金１０４Ｂの外周にシリコンゴムからなる弾性部材１０４Ａが被覆された構成となっており、弾性部材１０４Ａの外周面には、フッ素系樹脂からなる離型層（図示省略）が形成されている。そして、芯金１０４Ｂの内側には、芯金１０４Ｂの内周面とは非接触状態で熱源となるハロゲンヒータ１１６が設けられている。ハロゲンヒータ１１６は、電源（図示省略）からの通電により発熱し、芯金１０４Ｂを加熱することで、加圧ロール１０４全体を加熱するようになっている。
【００５２】
また、加圧ロール１０４の外周面と対向する位置で開口部１０６Ａに近い側には、加圧ロール１０４の温度を検知する第３温度センサ１２８が加圧ロール１０４と非接触状態で設けられている。第３温度センサ１２８は、第１温度センサ１２０と同様の構成となっている。ここで、第１温度センサ１２０、第２温度センサ１２６、及び第３温度センサ１２８は、前述の制御部２０（図１参照）に接続されており、制御部２０では、第１温度センサ１２０、第２温度センサ１２６、及び第３温度センサ１２８からの入力に基づいて、ハロゲンヒータ１１４、１１８、１１６へ出力を行うようになっている。
【００５３】
さらに、加圧ロール１０４の両端部にはベアリング（図示省略）が設けられており、このベアリングは、Ｖ字状のブラケット１２４の中央部分に取り付けられている。そして、ブラケット１２４は、図示しない駆動機構（第２実施形態では駆動機構１７０（図９参照）に相当）の動作により矢印＋Ｒ方向又は−Ｒ方向に揺動可能に設けられている。これにより、加圧ロール１０４は、ブラケット１２４が矢印−Ｒ方向に移動することで定着ロール１０２と接触し、ブラケット１２４が矢印＋Ｒ方向に移動することで定着ロール１０２から離れるようになっている。
【００５４】
次に、外部加熱ロール１０８のリトラクト機構部１４０について説明する。
【００５５】
図４に示すように、リトラクト機構部１４０は、偏心カム１４２と、偏心カム１４２を挟むように対向配置された上ブラケット１４４及び下ブラケット１４６と、下ブラケット１４６と対向配置されるフランジ１４８を有すると共に外部加熱ロール１０８の軸方向両端部を支持する支持ブラケット１４９と、下ブラケット１４６に一端が取り付けられ他端がフランジ１４８に取り付けられた複数のバネ１５２とを含んで構成されている。なお、以後の説明では、外部加熱ロール１０８が定着ロール１０２に近づく方向を＋Ｘ方向、外部加熱ロール１０８が定着ロール１０２から離れる方向を−Ｘ方向と記載する。＋Ｘ方向、−Ｘ方向は、図示の右斜め方向となっている。
【００５６】
偏心カム１４２は、外部加熱ロール１０８の軸方向と同じ軸方向とされた回転軸１４２Ａを有しており、制御部２０（図１参照）によって駆動されるモータ１５０（図６参照）により、矢印＋Ｒ方向（図示の時計回り方向）又は矢印−Ｒ方向（図示の反時計回り方向）に回転駆動されるようになっている。
【００５７】
上ブラケット１４４は、外部加熱ロール１０８の軸方向に見て中央が断面コ字状の凹部１４４Ａとされており、凹部１４４Ａの周縁部から外側（矢印Ｘ方向と交差する方向の外側）へ向けて平坦部１４４Ｂが形成されている。また、上ブラケット１４４は、偏心カム１４２よりも−Ｘ方向側に配置されており、凹部１４４Ａの開口側が偏心カム１４２と対向配置されている。さらに、上ブラケット１４４は、凹部１４４Ａに回転可能に設けられ偏心カム１４２の外周面と接触することで回転する上フォロワ１４３が設けられている。
【００５８】
下ブラケット１４６は、外部加熱ロール１０８の軸方向に見て中央が断面コ字状の凹部１４６Ａとされており、凹部１４６Ａの周縁部から外側（矢印Ｘ方向と交差する方向の外側）へ向けて平坦部１４６Ｂが形成されている。また、下ブラケット１４６は、偏心カム１４２よりも＋Ｘ方向側に配置されており、凹部１４６Ａの開口側が偏心カム１４２と対向配置されている。さらに、下ブラケット１４６は、凹部１４６Ａに回転可能に設けられ偏心カム１４２の外周面と接触することで回転する下フォロワ１４５が設けられている。
【００５９】
ここで、上ブラケット１４４及び下ブラケット１４６は、凹部１４４Ａと凹部１４６Ａとで偏心カム１４２を挟むようにして、平坦部１４４Ｂと平坦部１４６Ｂが接触した状態でボルト及びナット（図示省略）で締結されている。そして、偏心カム１４２の回転中心、上フォロワ１４３の回転中心、及び下フォロワ１４５の回転中心が矢印Ｘ方向で同一線上となるように配置されている。なお、上ブラケット１４４及び下ブラケット１４６は、ガイド部材（図示省略）によって移動方向が＋Ｘ方向、−Ｘ方向のみに規制されている。
【００６０】
一方、支持ブラケット１４９は、ベアリング（図示省略）が取り付けられており、このベアリングによって外部加熱ロール１０８が回転可能に支持されている。なお、支持ブラケット１４９は、外部加熱ロール１０８の両端で一対設けられているが、ここでは一方のみを図示して説明する。また、支持ブラケット１４９は、ガイド部材（図示省略）によって移動方向が＋Ｘ方向、−Ｘ方向のみに規制されている。
【００６１】
さらに、支持ブラケット１４９のフランジ１４８は、支持ブラケット１４９から外部加熱ロール１０８の軸方向に突出形成されており、外部加熱ロール１０８の軸方向に見て断面コ字状となっている。また、フランジ１４８は、開口側が下ブラケット１４６に向くように配置されている。なお、バネ１５２は、矢印Ｘ方向を伸縮方向として、下ブラケット１４６の平坦部１４６Ｂに一端が固定され、他端がフランジ１４８の平坦部１４８Ａに固定されている。
【００６２】
ここで、リトラクト機構部１４０では、偏心カム１４２と下フォロワ１４５とが接触して、上ブラケット１４４及び下ブラケット１４６が＋Ｘ方向に移動するとき、バネ１５２がフランジ１４８を＋Ｘ方向に付勢する。これにより、支持ブラケット１４９が＋Ｘ方向に移動して、外部加熱ロール１０８が定着ロール１０２の外周面と接触する。一方、偏心カム１４２と上フォロワ１４３とが接触して、上ブラケット１４４及び下ブラケット１４６が−Ｘ方向に移動するとき、バネ１５２が縮む方向に力が作用し、フランジ１４８が−Ｘ方向に引っ張られる。これにより、支持ブラケット１４９が−Ｘ方向に移動して、外部加熱ロール１０８が定着ロール１０２の外周面から離れる（退避する）。即ち、リトラクト機構部１４０が、定着ロール１０２への外部加熱ロール１０８の接触又は非接触（退避）状態を切り換えるようになっている。
【００６３】
次に、リフレッシュロール１３２の駆動機構１６０について説明する。
【００６４】
図５には、リフレッシュロール１３２の駆動機構１６０が示されている。駆動機構１６０は、定着ロール１０２に対して接触又は退避される前述のリフレッシュロール１３２と、リフレッシュロール１３２を支持する支持部材の一例としての支持レバー１６２と、支持レバー１６２を矢印＋Ｄ方向（リフレッシュロール１３２が定着ロール１０２に接触する方向）又は矢印−Ｄ方向（リフレッシュロール１３２が定着ロール１０２の外周面から退避する方向）に往復動させるカム１６４と、カム１６４の回転軸１６４Ａ（カム１６４への駆動力伝達経路の一例）に設けられ、駆動力により結合してこの駆動力をカム１６４へ伝達する駆動力伝達部材の一例としてのワンウェイクラッチ１６６と、を含んで構成されている。
【００６５】
支持レバー１６２は、板金製であり、図示の右斜め上方に延びる第１レバー部１６２Ａと、第１レバー部１６２Ａの上端で屈曲されて矢印Ｖ方向に延びる第２レバー部１６２Ｂと、第２レバー部１６２Ｂの上梁で屈曲されて矢印Ｈ方向に延びる第３レバー部１６２Ｃとが一体とされた形状となっている。
【００６６】
第１レバー部１６２Ａは、図示の下端側にベアリング１６３が取り付けられており、このベアリング１６３には、ブラケット（図示省略）を介して筐体１０６に固定された回転軸１６５が挿通されている。そして、回転軸１６５は、定着ロール１０２の軸方向と同じ軸方向となるように配置されている。これにより、支持レバー１６２は、図示の矢印＋Ｄ方向又は矢印−Ｄ方向に往復動可能となっている。また、第１レバー部１６２Ａの中央には、ベアリング１６７が取り付けられており、ベアリング１６７がリフレッシュロール１３２の両端部を回転可能に支持している。
【００６７】
一方、第２レバー部１６２Ｂから第３レバー部１６２Ｃへの屈曲部分には、支持レバー１６２の一部を成すフォロワ１６９が回転可能に取り付けられている。また、第３レバー部１６２Ｃの上端部には、一部が切り欠かれると共に折り曲げられて引掛部１７１が形成されている。さらに、支持レバー１６２が矢印−Ｄ方向に移動するときの引掛部１７１の移動方向で且つ筐体１０６内には、バネ１７２の一端を固定するための固定部１７３が設けられている。ここで、支持レバー１６２は、バネ１７２の一端が固定部１７３に固定され他端が引掛部１７１に引っ掛けられることにより、矢印＋Ｄ方向、即ち、リフレッシュロール１３２が定着ロール１０２に接触する方向に付勢されている。なお、一例として、バネ１７２が支持レバー１６２を付勢してリフレッシュロール１３２が定着ロール１０２を加圧する加圧力は、リトラクト機構部１４０（図４参照）のバネ１５２がフランジ１４８を付勢して外部加熱ロール１０８が定着ロール１０２を加圧する加圧力の１／３程度に設定されている。
【００６８】
カム１６４は、回転軸１６４Ａを中心に回転可能に設けられた楕円形状の偏心カムであり、外周で偏心が一番大きい部位には、フォロワ１６９の曲率に合わせた曲率の凹部１６４Ｂが形成されている。また、カム１６４は、モータ１５０（図６参照）の駆動力により矢印＋Ｒ方向に回転するようになっている。そして、支持レバー１６２の一端がバネ１７２で付勢されていることにより、カム１６４は、フォロワ１６９と接触しながら回転するようになっている。
【００６９】
ここで、カム１６４が矢印＋Ｒ方向に回転することで、支持レバー１６２は回転軸１６５を中心とした矢印＋Ｄ方向又は矢印−Ｄ方向に往復動をする。そして、凹部１６４Ｂとフォロワ１６９の外周とが接触する位置にカム１６４が位置しているときは、リフレッシュロール１３２が定着ロール１０２の外周に対して退避した状態となり、凹部１６４Ｂとは反対側の部位がフォロワ１６９と接触するときは、リフレッシュロール１３２が定着ロール１０２の外周に接触するようになっている。
【００７０】
一方、ワンウェイクラッチ１６６は、後述する駆動ギヤ１７４（図６参照）と一体化されており、カム１６４の回転軸１６４Ａが挿通されることで、回転軸１６４Ａに設けられている。また、ワンウェイクラッチ１６６は、モータ１５０（図６参照）から伝達される矢印＋Ｒ方向の駆動力により結合してこの駆動力をカム１６４へ伝達し、矢印−Ｒ方向（逆向き）の駆動力により結合解除されカム１６４への駆動力の伝達を遮断するように構成されている。
【００７１】
次に、リフレッシュロール１３２及び外部加熱ロール１０８の駆動力伝達について説明する。
【００７２】
図６に示すように、定着装置１００は、リフレッシュロール１３２及び外部加熱ロール１０８を駆動する共通の駆動源の一例としてのモータ１５０を有している。モータ１５０は、ピニオン１７６を有しており、制御部２０からの指示情報に基づいてピニオン１７６を矢印＋Ｒ方向又は矢印−Ｒ方向に回転させる駆動を行うようになっている。なお、一例として、モータ１５０は、リフレッシュロール１３２を定着ロール１０２に対して接触又は退避させるときにピニオン１７６を矢印＋Ｒ方向に回転し、外部加熱ロール１０８を定着ロール１０２に対して接触又は退避させるときにピニオン１７６を矢印−Ｒ方向に回転するようになっている。
【００７３】
ピニオン１７６には、予め設定された歯数で回転可能に設けられた中間ギヤ１７８Ａが噛み合っている。中間ギヤ１７８Ａは、中間ギヤ１７８Ａよりも小径で同軸に配置された中間ギヤ１７８Ｂと一体成型されており、中間ギヤ１７８Ｂには、予め設定された歯数で回転可能に設けられた伝達ギヤ１８２が噛み合っている。そして、伝達ギヤ１８２の外周で中間ギヤ１７８Ｂとは異なる位置には、予め設定された歯数の駆動ギヤ１８４が噛み合っている。さらに、駆動ギヤ１８４は、リトラクト機構部１４０（図４参照）を作動させる偏心カム１４２に固定されている。
【００７４】
一方、中間ギヤ１７８Ｂの外周で伝達ギヤ１８２とは異なる位置には、予め設定された歯数の駆動ギヤ１７４が噛み合っている。そして、駆動ギヤ１７４は、ワンウェイクラッチ１６６と一体化されており、駆動ギヤ１７４が矢印＋Ｒ方向に回転したときは、ワンウェイクラッチ１６６が駆動力により結合され、カム１６４に矢印＋Ｒ方向の駆動力が伝達されるようになっている。また、駆動ギヤ１７４が矢印−Ｒ方向に回転したときは、ワンウェイクラッチ１６６の結合が解除され（駆動力の伝達が遮断され）、カム１６４が空転するようになっている。
【００７５】
ここで、図６に示すように、ピニオン１７６が矢印＋Ｒ方向に回転したときは、中間ギヤ１７８Ａ、１７８Ｂが図の矢印方向に回転し、駆動ギヤ１７４が矢印＋Ｒ方向に回転して、カム１６４が矢印＋Ｒ方向に回転する。このとき、伝達ギヤ１８２は図の矢印方向に回転し、駆動ギヤ１８４は矢印−Ｒ方向に回転する。なお、偏心カム１４２（図４参照）への駆動力伝達経路には、ワンウェイクラッチは設けられていないため、偏心カム１４２は矢印−Ｒ方向に回転する。
【００７６】
一方、ピニオン１７６が矢印−Ｒ方向に回転したときは、中間ギヤ１７８Ａ、１７８Ｂが図の矢印方向とは逆方向に回転し、駆動ギヤ１７４が矢印−Ｒ方向に回転する。そして、ワンウェイクラッチ１６６によって駆動力の伝達が遮断されるため、カム１６４は回転しない。また、伝達ギヤ１８２は図の矢印方向とは逆方向に回転し、駆動ギヤ１８４は矢印＋Ｒ方向に回転する。これにより、偏心カム１４２は矢印＋Ｒ方向に回転して、定着ロール１０２に対する外部加熱ロール１０８の接触又は退避（リトラクト動作）が行われる。
【００７７】
なお、制御部２０（図１参照）は、一例として、モータ１５０のピニオン１７６を矢印＋Ｒ方向に回転し、リフレッシュロール１３２を矢印＋Ｄ方向（図５参照）に移動させる駆動力をワンウェイクラッチ１６６及びカム１６４に付与した後、リフレッシュロール１３２が定着ロール１０２に接触するときにピニオン１７６を停止し、続いて駆動ギヤ１７４に逆向きの駆動力を付与させるように、モータ１５０の駆動を切り換える設定となっている。
【００７８】
ピニオン１７６の回転駆動を停止すると共に矢印＋Ｒ方向から矢印−Ｒ方向に切り換える時点は、カム１６４の凹部１６４Ｂ（図５参照）とは逆側（１８０°回転した位置）がフォロワ１６９と接触する時点、即ち、カム１６４が回転軸１６４Ａから外周面までの距離が小さい側でフォロワ１６９に接触する状態のときである。また、カム１６４の凹部１６４Ｂ（図５参照）とは逆側（１８０°回転した位置）がフォロワ１６９と接触する時点は、カム１６４に設けられた位置検知のための検知部（図示省略）が、ロータリーエンコーダなどの回転位置検知手段（図示省略）で検知されることで行われる。
【００７９】
（作用）
次に、第１実施形態の作用について説明する。
【００８０】
図７（Ａ）には、リフレッシュロール１３２が定着ロール１０２の外周から退避した状態の各部材の位置（実線で図示）と、リフレッシュロール１３２が定着ロール１０２の外周に接触した状態の各部材の位置（二点差線で図示）とが示されている。カム１６４の最も偏心が大きい部位がフォロワ１６９と接触するときは、フォロワ１６９がカム１６４の凹部１６４Ｂと接触すると共に、フォロワ１６９を介して支持レバー１６２がバネ１７２の付勢力に対抗して移動し、リフレッシュロール１３２が定着ロール１０２の外周から離れる（退避する）。
【００８１】
一方、カム１６４の最も偏心が小さい部位（凹部１６４Ｂとは反対側）がフォロワ１６９と接触するときは、バネ１７２の付勢力によってフォロワ１６９がカム１６４の最も偏心が小さい部位と接触すると共に、支持レバー１６２がバネ１７２の付勢力によって移動し、リフレッシュロール１３２が定着ロール１０２の外周に接触する。
【００８２】
ここで、駆動機構１６０において、モータ１５０の駆動によりワンウェイクラッチ１６６に矢印＋Ｒ方向の駆動力が伝達されるとき、この駆動力でワンウェイクラッチ１６６が結合してカム１６４に矢印＋Ｒ方向の駆動力を伝達する。これにより、カム１６４が矢印＋Ｒ方向に回転して支持レバー１６２を往復動させ、リフレッシュロール１３２が定着ロール１０２の外周に対して接触又は退避される。
【００８３】
このとき、カム１６４を矢印＋Ｒ方向に回転して、リフレッシュロール１３２を定着ロール１０２の外周の接触位置で停止するだけの比較例では、ワンウェイクラッチ１６６の矢印＋Ｒ方向への移動が可能で、矢印−Ｒ方向への移動がロック（規制）されている。このため、図７（Ｂ）に示すように、カム１６４が矢印＋Ｒ方向に回転してフォロワ１６９がカム１６４の最も偏心が小さい部位に接触するとき、バネ１７２（図７（Ａ）参照）の付勢力Ｆによってフォロワ１６９がカム１６４の外周の傾斜面に乗り上げるようにしてカム１６４を付勢し、カム１６４が本来の設定位置（二点鎖線で図示）から矢印＋Ｒ方向に行き過ぎた位置（実線で図示）まで回転することになる。そして、フォロワ１６９は、リフレッシュロール１３２（図７（Ａ）参照）が定着ロール１０２から退避する方向（これを矢印−Ｓ方向と記載する）に移動すると共に、定着ロール１０２の外周に接触したはずのリフレッシュロール１３２が定着ロール１０２の外周から離れてしまい、又は接触していても定着ロール１０２に対するリフレッシュロール１３２の加圧力が不足する。これにより、定着ロール１０２に対するリフレッシュロール１３２の接触位置（接触状態）が不安定となる。
【００８４】
一方、本実施形態の駆動機構１６０では、カム１６４が矢印＋Ｒ方向に回転して、リフレッシュロール１３２が定着ロール１０２の外周面に接触すると共にフォロワ１６９がカム１６４の最も偏心が小さい部位に接触するとき、モータ１５０のピニオン１７６（図６参照）が逆回転（矢印−Ｒ方向に回転）してワンウェイクラッチ１６６まで矢印−Ｒ方向の駆動力を伝達させる。ここで、図７（Ｃ）に示すように、ワンウェイクラッチ１６６からカム１６４への駆動力の伝達が遮断されるため、カム１６４は、駆動系に対して自由に回転できるようになり、支持レバー１６２（図７（Ａ）参照）がバネ１７２の付勢力で本来の設定位置（フォロワ１６９の実線で図示した位置）まで矢印＋Ｓ方向（矢印−Ｓ方向とは逆方向）に戻ることになる。これにより、フォロワ１６９が本来の設定位置に収まり、定着ロール１０２に対するリフレッシュロール１３２の接触位置（接触状態）が安定する。
【００８５】
また、比較例として、図４、図５において、偏心カム１４２にワンウェイクラッチ１６６を設けた場合、偏心カム１４２では、このワンウェイクラッチ１６６により自由状態となる回転方向（矢印−Ｒ方向）が存在し、さらに、バネ１５２による加圧力が大きいことから、偏心カム１４２が矢印−Ｒ方向へ急速に回転することになる。このため、外部加熱ロール１０８の急激な落下を止めることができず、偏心カム１４２と上フォロワ１４３、下フォロワ１４５とが接触して、大きな打音が生じることになる。
【００８６】
しかし、本実施形態では、外部加熱ロール１０８側の偏心カム１４２にはワンウェイクラッチ１６６が設けられていないので、偏心カム１４２が自由状態となる回転方向は存在しない。このため、偏心カム１４２が急速に回転することが抑制され、外部加熱ロール１０８の急激な落下が抑制されて、大きな打音の発生が抑制される。
【００８７】
（第２実施形態）
次に、本発明の第２実施形態に係る駆動機構、定着装置、及び画像形成装置の一例について説明する。
【００８８】
第２実施形態の画像形成装置及び定着装置は、前述した第１実施形態の画像形成装置１０及び定着装置１００と機械的には同様の構成とされており、加圧ロール１０４を支持するブラケット１２４の揺動を駆動機構１９０で行う構成が異なっている。このため、第２実施形態においても画像形成装置１０及び定着装置１００として記載し、前述した第１実施形態の画像形成装置１０及び定着装置１００と基本的に同一の部材には、前記第１実施形態と同一の符号を付与してその説明を省略する。
【００８９】
図８には、第２実施形態の定着装置１００に設けられたブラケット１２４を揺動する駆動機構１９０が模式図で示されている。駆動機構１９０は、定着ロール１０２に対して接触又は退避される接触部材の一例としての加圧ロール１０４と、加圧ロール１０４を支持すると共に往復動可能に設けられ、加圧ロール１０４が定着ロール１０２に接触する方向に付勢された支持部材の一例としての支持機構部１９１と、外周がブラケット１２４の端部のフォロワ１２５に接触され、駆動力により回転することで加圧ロール１０４を定着ロール１０２に対して往復動させるカム１９２と、カム１９２を駆動する駆動ギヤ２０６（図９（Ａ）参照）に設けられ、駆動力により結合してこの駆動力をカム１９２へ伝達し、逆向きの駆動力により結合解除されるワンウェイクラッチ１６６と、を有している。
【００９０】
支持機構部１９１は、加圧ロール１０４を回転可能に支持すると共に、図示の左側端部に設けられた回転軸１９４を中心として矢印Ｖ方向に往復動可能に設けられた上ブラケット１９３と、回転軸１９４を中心として上ブラケット１９３と独立して矢印Ｖ方向に往復動可能に設けられたブラケット１２４と、ブラケット１２４に対して図示の左斜め方向（以後、矢印Ｗ方向と記載する）に相対移動可能に設けられた下ブラケット１９６と、上ブラケット１９３及び下ブラケット１９６で挟まれて圧縮されるコイル状の圧縮バネ１９５と、定着ロール１０２に対する加圧ロール１０４の付勢力（加圧力）を調整する第１調整ネジ１９７及び第２調整ネジ１９８と、を含んで構成されている。
【００９１】
ブラケット１２４は、回転軸１９４とは反対側の端部にカム１９２と接触するフォロワ１２５が回転可能に保持されている。また、ブラケット１２４は、回転軸１９４とフォロワ１２５との間（中央部）で回転軸１９４の軸方向に突出した支持ピン１２７が間隔をあけて２箇所設けられており、支持ピン１２７で下ブラケット１９６を支持している。そして、ブラケット１２４は、カム１９２がモータ１５０（図９（Ａ）参照）の駆動を受けて回転することで、回転軸１９４を中心に矢印Ｖ方向に上下動するようになっている。
【００９２】
上ブラケット１９３は、回転軸１９４とは反対側の端部で回転軸１９４の軸方向と同じ方向に平板状に突出したネジ保持部１９４Ａが設けられている。ネジ保持部１９４Ａは、矢印Ｖ方向に貫通孔が形成されており、第１調整ネジ１９７の先端を回転可能に保持している。また、ネジ保持部１９４Ａよりも下側では、雌ネジが形成されたナット１９９に第１調整ネジ１９７の先端部がねじ込まれている。なお、第１調整ネジ１９７は、ブラケット１２４及び下ブラケット１９６に対して結合されていない。
【００９３】
下ブラケット１９６は、図示の左右方向を長手方向として、左端部及び中央部にブラケット１２４の支持ピン１２７が挿通される長孔１９６Ｂが形成されており、右端部に第１調整ネジ１９７が接触せずに挿通される貫通孔１９６Ａが形成されている。長孔１９６Ｂは、長軸方向が傾斜方向Ｗとなるように形成されている。また、下ブラケット１９６には、図示の左側の長孔１９６Ｂに繋がるネジ孔１９６Ｃが傾斜方向Ｗに沿って形成されており、ネジ孔１９６Ｃには、第２調整ネジ１９８がねじ込まれている。そして、第２調整ネジ１９８の先端は、図示の左側の支持ピン１２７に突き当たっている。これにより、第２調整ネジ１９８を回転させると、下ブラケット１９６がブラケット１２４に対して傾斜方向Ｗに移動するようになっている。
【００９４】
圧縮バネ１９５は、ナット１９９と下ブラケット１９６の右端部とで挟まれて圧縮されている。そして、第１調整ネジ１９７によるナット１９９の位置調整及び第２調整ネジ１９８による下ブラケット１９６の位置調整によって、圧縮バネ１９５の圧縮量が調整され、加圧ロール１０４の定着ロール１０２に対する加圧力が調整されるようになっている。
【００９５】
ここで、カム１９２がフォロワ１２５及びブラケット１２４を押し上げると、ブラケット１２４が下ブラケット１９６を介して圧縮バネ１９５を圧縮する。圧縮バネ１９５の圧縮に対する反発力は、ナット１９９によって受けられてネジ保持部１９４Ａに伝わる。この力によって、上ブラケット１９３が加圧ロール１０４を定着ロール１０２に向かって加圧する。
【００９６】
次に、加圧ロール１０４及びデカーラ３９の駆動力伝達について説明する。
【００９７】
図９（Ａ）に示すように、第２実施形態の定着装置１００は、一例として、加圧ロール１０４（図８参照）及びデカーラ３９の下側のロールを駆動する共通の駆動源の一例としてのモータ１５０を有している。モータ１５０は、ピニオン１７６を有しており、制御部２０からの指示情報に基づいてピニオン１７６を矢印＋Ｒ方向又は矢印−Ｒ方向に回転させる駆動を行うようになっている。なお、一例として、モータ１５０は、加圧ロール１０４を定着ロール１０２に対して接触させるときにピニオン１７６を矢印＋Ｒ方向に回転し、デカーラ３９を回転させるときにピニオン１７６を矢印−Ｒ方向に回転するようになっている。
【００９８】
ピニオン１７６には、予め設定された歯数で回転可能に設けられた駆動ギヤ２０４が噛み合っている。駆動ギヤ２０４は、デカーラ３９を構成する上下一対のロールのうち、下側のロールの回転軸に固定されている。
【００９９】
一方、ピニオン１７６の外周で駆動ギヤ２０４とは異なる位置には、予め設定された歯数の中間ギヤ２０２が噛み合っており、中間ギヤ２０２のピニオン１７６との噛み合い位置とは異なる位置に、予め設定された歯数で回転可能に設けられた駆動ギヤ２０６が噛み合っている。駆動ギヤ２０６は、ワンウェイクラッチ１６６と一体化されており、カム１９２の回転軸に設けられている。そして、駆動ギヤ２０６が矢印＋Ｒ方向に回転したときは、ワンウェイクラッチ１６６が駆動力により結合され、カム１９２に矢印＋Ｒ方向の駆動力が伝達されるようになっている。また、駆動ギヤ２０６が矢印−Ｒ方向に回転したときは、ワンウェイクラッチ１６６の結合が解除され（駆動力の伝達が遮断され）、カム１９２が空転するようになっている。
【０１００】
ここで、ピニオン１７６が矢印−Ｒ方向に回転したときは、駆動ギヤ２０４が図の矢印方向に回転して、デカーラ３９（下側）が矢印＋Ｒ方向に回転する。このとき、中間ギヤ２０２は図の矢印方向に回転し、駆動ギヤ２０６は矢印−Ｒ方向に回転するが、ワンウェイクラッチ１６６によって駆動伝達が遮断されるため、カム１９２は回転しない。
【０１０１】
一方、ピニオン１７６が矢印＋Ｒ方向に回転したときは、中間ギヤ２０２が矢印−Ｒ方向に回転し、駆動ギヤ２０６が矢印＋Ｒ方向に回転する。そして、ワンウェイクラッチ１６６によって駆動力が伝達されるため、カム１９２は矢印＋Ｒ方向に回転する。なお、駆動ギヤ２０４は矢印−Ｒ方向に回転するが、デカーラ３９への駆動力伝達経路にはワンウェイクラッチは設けられていないため、デカーラ３９は矢印−Ｒ方向に回転する。
【０１０２】
なお、制御部２０（図１参照）は、一例として、モータ１５０のピニオン１７６を矢印＋Ｒ方向に回転し、加圧ロール１０４を定着ロール１０２に対して接触又は退避させる駆動力をワンウェイクラッチ１６６及びカム１９２に付与した後、加圧ロール１０４が定着ロール１０２に対して退避するとき（カム１９２の回転軸から外周面までの距離が小さい側にフォロワ１２５が接触するとき）にピニオン１７６を停止し、続いて駆動ギヤ２０６に逆向きの駆動力を付与させるように、モータ１５０の駆動を切り換える設定となっている。なお、カム１９２は、位置検知のための検知部（図示省略）が設けられており、この検知部がロータリーエンコーダなどの回転位置検知手段（図示省略）で検知されることで、カム１９２の回転位置が求められ、モータ１５０の駆動の切り換え時点が決定されるようになっている。
【０１０３】
（作用）
第２実施形態の作用について説明する。
【０１０４】
図９（Ａ）において、第２実施形態の駆動機構１９０では、モータ１５０の駆動（ピニオン１７６を矢印＋Ｒ方向に回転する駆動）によりワンウェイクラッチ１６６に矢印＋Ｒ方向の駆動力が伝達されるとき、この駆動力でワンウェイクラッチ１６６が結合してカム１９２に矢印＋Ｒ方向の駆動力を伝達する。これにより、カム１９２が矢印＋Ｒ方向に回転してブラケット１２４を往復動させ、加圧ロール１０４（図９参照）が定着ロール１０２の外周に対して接触又は退避される。
【０１０５】
このとき、カム１９２を矢印＋Ｒ方向に回転して、加圧ロール１０４を定着ロール１０２の外周の接触位置で停止するだけの比較例では、ワンウェイクラッチ１６６の矢印＋Ｒ方向への移動が可能で、矢印−Ｒ方向への移動がロック（規制）されている。このため、図９（Ｂ）に示すように、カム１９２が矢印＋Ｒ方向に回転してフォロワ１２５がカム１９２の最も偏心が小さい部位（回転軸から外周面までの距離が小さい側）に接触するとき、ブラケット１２４の重量を含む付勢力Ｆによって、フォロワ１２５がカム１９２の外周の傾斜面に乗り上げるようにしてカム１９２を付勢し、カム１９２が本来の設定位置（二点鎖線で図示）から矢印＋Ｒ方向に行き過ぎた位置（実線で図示）まで回転することになる。そして、フォロワ１２５は、加圧ロール１０４（図８参照）が定着ロール１０２に接触する方向（矢印＋Ｖ方向）に移動すると共に、定着ロール１０２の外周から退避したはずの加圧ロール１０４が、定着ロール１０２の外周に対して近づき又は接触してしまい、定着ロール１０２に対する加圧ロール１０４の接触位置（接触状態）が不安定となる。
【０１０６】
一方、図９（Ａ）において、本実施形態の駆動機構１９０では、カム１９２が矢印＋Ｒ方向に回転して、フォロワ１２５がカム１９２の最も偏心が小さい部位に接触するとき、モータ１５０のピニオン１７６が逆回転（矢印−Ｒ方向に回転）してワンウェイクラッチ１６６まで矢印−Ｒ方向の駆動力を伝達させる。ここで、図９（Ｃ）に示すように、ワンウェイクラッチ１６６からカム１９２への駆動力の伝達が遮断されるため、カム１９２は、駆動系に対して自由に回転できるようになり、ブラケット１２４がブラケット１２４自体の重量を含む付勢力で本来の設定位置（実線で図示した位置）まで戻ることになる。これにより、定着ロール１０２に対する加圧ロール１０４の退避位置（退避状態）が安定する。
【０１０７】
なお、本発明は上記の実施形態に限定されない。
【０１０８】
定着ロール１０２は、電磁誘導方式により加熱される定着ベルトであってもよい。また、駆動機構１６０、１９０は、リフレッシュロール１３２、加圧ロール１０４に適用するだけでなく、用紙搬送ロール、転写ロール、クリーニングブレードなどの駆動に適用してもよい。なお、リフレッシュロール１３２が定着ロール１０２の外周に接触したときの理想状態としては、カム１６４とフォロワ１６９が非接触状態となることが好ましい。
【０１０９】
また、バネ１７２の加圧力がバネ１５２の加圧力よりも大きいときは、リフレッシュロール１３２側ではなく、外部加熱ロール１０８側にワンウェイクラッチ１６６を設けてもよい。
【符号の説明】
【０１１０】
１０  画像形成装置
５０  画像形成ユニット（現像剤像形成手段）
７１  二次転写ロール（転写手段）
１００  定着装置
１０２  定着ロール（被接触部材、定着部材）
１０４  加圧ロール（接触部材）
１０８  外部加熱ロール（他の接触部材）
１２４  ブラケット（支持部材）
１３２  リフレッシュロール（接触部材、荒し部材）
１５０  モータ（駆動源）
１６０  駆動機構
１６２  支持レバー（支持部材）
１６４  カム
１６６  ワンウェイクラッチ（駆動力伝達部材）
１９０  駆動機構
【図１】
0005728847.tif 000002
【図２】
0005728847.tif 000003
【図３】
0005728847.tif 000004
【図４】
0005728847.tif 000005
【図５】
0005728847.tif 000006
【図６】
0005728847.tif 000007
【図７】
0005728847.tif 000008
【図８】
0005728847.tif 000009
【図９】
0005728847.tif 000010